(57)【要約】【課題】  ロールシートの種類を確実に検出することができるロールシートホルダ及びテープ印刷装置を提供する。【解決手段】  ロールシートホルダ収納部４の底面部には、ホルダ支持部材１５の内側基端部から平面視横長四角形の位置決め凹部４Ａが所定深さで形成されている。また、位置決め凹部４Ａのホルダ支持部材１５の内側基端部には、位置決め保持部材１２の下端縁部から略直角内側方向に延出されて、各センサ孔６０Ａ〜６０ＥがＬ字状に穿設されるシート判別部６０が嵌め込まれる平面視長四角形の判別凹部４Ｂが形成されている。また、この判別凹部４Ｂには、シート判別センサＳ１〜Ｓ５がＬ字状に設けられている。【選択図】  図４
2005193468.tif 000002
【特許請求の範囲】
【請求項１】
筒状の巻芯に巻回されるロールシートを搬送するための搬送手段と、該ロールシートに印刷する印刷手段とを備えたテープ印刷装置に使用され、前記テープ印刷装置内で着脱可能な状態で支持されるロールシートホルダにおいて、
前記巻芯の筒孔の一端側から該筒孔の端縁部に嵌挿されると共に、前記ロールシートの一方の端面に当接される第１フランジ部が外側端面の外周部に形成される第１筒部材と、
前記ロールシートの他方の端面に当接されると共に、内側面に前記巻芯の筒孔の他端側から該筒孔の端縁部に嵌挿される第２筒部材が内側面に立設される基準側保持部材と、
前記第１筒部材に嵌挿されて一端側の外側端面の外周部に前記第１フランジ部の外側面に当接されて固着される第２フランジ部が形成されると共に、他端側が前記第２筒部材に嵌挿されて前記基準保持部材に固着される第３筒部材と、
を備え、
前記第１フランジ部は、前記第１筒部材の外側端面の下側外周面から下側方向に延出されて前記テープ印刷装置の底面部に当接する第１延出部を有し、
前記基準側保持部材は、外側端面部の左右方向略中央部に上下方向縦長に突設される位置決めリブ部と、
下端縁部からロールシートの最大外径時の下端部外周面に対向するように所定長さ延出される第２延出部と、
前記第２延出部に形成されて前記テープ印字装置の底面部に配置されたセンサ手段と協働して該ロールシートの種類を特定するロールシート特定部と、
を有し、
前記位置決めリブ部は、前記テープ印刷装置の上方に開口する正面視略縦長コの字状の第１位置決め溝部に嵌入されることにより位置決めされて着脱可能に支持されることを特徴とするロールシートホルダ。
【請求項２】
前記ロールシート特定部は、前記センサ手段が嵌入される貫通孔を有していることを特徴とする請求項１に記載のロールシートホルダ。
【請求項３】
前記第２延出部は、前記ロールシートの軸心の鉛直方向下方に配置されることを特徴とする請求項２に記載のロールシートホルダ。
【請求項４】
筒状の巻芯に巻回されるロールシートを搬送するための搬送手段と、該ロールシートに印刷する印刷手段と、前記ロールシートが巻回されるロールシートホルダを内部で着脱可能な状態で支持する支持機構と、を備えたテープ印刷装置において、
前記ロールシートホルダは、請求項１乃至請求項３のいずれかに記載のロールシートホルダであり、
前記支持機構は、底面部の一側側端縁部に立設されて前記第１位置決め溝部が形成される位置決め支持部材を有し、
前記センサ手段は、前記位置決め支持部材のロールシートホルダ側基端部に設けられていることを特徴とするテープ印刷装置。
【請求項５】
前記第２延出部に対向する底面部に形成されて該第２延出部が上方から嵌め込まれる凹部を有することを特徴とする請求項４に記載のテープ印刷装置。
【発明の詳細な説明】
【技術分野】
【０００１】
本発明は、筒状の巻芯に巻回されたロールシートが回転可能に取付けられるロールシートホルダであって、該ロールシートを搬送するための搬送手段と、該ロールシートに印刷する印刷手段とを備えたテープ印刷装置内で着脱可能な状態で支持されるロールシートホルダに関するものである。また、テープ印刷装置内に当該ロールシートホルダが着脱可能に支持されるテープ印刷装置に関するものである。
【背景技術】
【０００２】
従来より、粘着シートに離形紙が張り合わされた長尺状のシートにサーマルヘッドを介して文字等を印刷するテープ印刷装置が種々提案されている。このようなテープ印刷装置では、巻芯に巻回されたロールシートと、この巻芯が回転可能に取付けられるロールシートホルダと、この複数種類のシート幅の各々のロールシートホルダをテープ印刷装置内で着脱可能に支持する支持機構と、このロールシートホルダからロールシートを引き出して搬送するための搬送手段とを備えているものがある。
例えば、テープ印刷装置に装着されるロールシートホルダの一例として、断熱性を有する材料で形成され、芯に巻回されたロール状の感熱記録紙を収納すると共に、その芯の両端を支持する機構と、その感熱記録紙を一端から引き出す記録紙引出口と、ケース体外面に形成されて収納されている感熱記録紙の種類を示す凹凸部と、から構成される記録紙収納ケースがある（例えば、特許文献１参照。）。
【０００３】
そして、このような構成の記録紙収納ケースによれば、画像記録をする場合、テープ印刷装置は、底面部に配置されたマイクロスイッチなどによって収納されている感熱記録紙の種類を判別してサーマルヘッドへの通電電力を調節し、装着された感熱記録紙に適切な濃度で画像を記録できる。
【特許文献１】実開平３−１９０４７号公報（第１３頁第１１行目〜第１６頁第１９行目、第６図及び第７図）
【発明の開示】
【発明が解決しようとする課題】
【０００４】
しかしながら、上述した従来の記録紙収納ケースが装着されたテープ印刷装置においては、該記録紙収納ケースが感熱記録紙の引き出しによって、その引き出し方向に回転して、マイクロスイッチなどを押下する記録紙収納ケース表面に形成された凸部の下端面部が浮き上がって該マイクロスイッチから離れてしまい、感熱記録紙に適切な濃度で画像記録ができない虞があるという問題がある。
【０００５】
そこで、本発明は、上述した問題点を解決するためになされたものであり、ロールシートホルダは、該ロールシートホルダに巻回されたロールシートの下端部に対向する位置にロールシートの種類を特定する特定部を設けると共に、テープ印刷装置の該ロールシートの下端部に対向する底面部にセンサ手段を設けることによって、この特定部の浮き上がり等を防止してロールシートの種類を確実に検出することができるロールシートホルダ及びテープ印刷装置を提供することを目的とする。
【課題を解決するための手段】
【０００６】
前記目的を達成するため請求項１に係るロールシートホルダは、筒状の巻芯に巻回されるロールシートを搬送するための搬送手段と、該ロールシートに印刷する印刷手段とを備えたテープ印刷装置に使用され、前記テープ印刷装置内で着脱可能な状態で支持されるロールシートホルダにおいて、前記巻芯の筒孔の一端側から該筒孔の端縁部に嵌挿されると共に、前記ロールシートの一方の端面に当接される第１フランジ部が外側端面の外周部に形成される第１筒部材と、前記ロールシートの他方の端面に当接されると共に、内側面に前記巻芯の筒孔の他端側から該筒孔の端縁部に嵌挿される第２筒部材が内側面に立設される基準側保持部材と、前記第１筒部材に嵌挿されて一端側の外側端面の外周部に前記第１フランジ部の外側面に当接されて固着される第２フランジ部が形成されると共に、他端側が前記第２筒部材に嵌挿されて前記基準保持部材に固着される第３筒部材と、を備え、前記第１フランジ部は、前記第１筒部材の外側端面の下側外周面から下側方向に延出されて前記テープ印刷装置の底面部に当接する第１延出部を有し、前記基準側保持部材は、外側端面部の左右方向略中央部に上下方向縦長に突設される位置決めリブ部と、下端縁部からロールシートの最大外径時の下端部外周面に対向するように所定長さ延出される第２延出部と、前記第２延出部に形成されて前記テープ印字装置の底面部に配置されたセンサ手段と協働して該ロールシートの種類を特定するロールシート特定部と、を有し、前記位置決めリブ部は、前記テープ印刷装置の上方に開口する正面視略縦長コの字状の第１位置決め溝部に嵌入されることにより位置決めされて着脱可能に支持されることを特徴とする。
【０００７】
このような特徴を有する請求項１に係るロールシートホルダは、ロールシートが巻回された巻芯の筒孔の一端側から該筒孔の端縁部に嵌挿されてロールシートの一方の端面に当接される第１筒部材と、該巻芯の筒孔の他端側から該筒孔の端縁部に嵌挿されロールシートの他方の端面に当接される基準側保持部材と、第１筒部材に嵌挿されて一端側がこの第１筒部材に固着されると共に他端側が基準保持部材に嵌挿されてこの基準保持部材に固着される第３筒部材と、から構成されている。また、第１筒部材は、外側端面の下側外周面から下側方向に延出されてテープ印刷装置の底面部に当接する第１延出部が形成されている。また、このロールシートホルダは、基準保持部材の外側端面部の左右方向略中央部に上下方向縦長に突設される位置決めリブ部が、テープ印刷装置の上方に開口する正面視略縦長コの字状の第１位置決め溝部に嵌入されると共に、該基準側保持部材の下端縁部からロールシートの最大外径時の下端部外周面に対向するように所定長さ延出される第２延出部に形成されたロールシート特定部がテープ印字装置の底面部に配置されたセンサ手段と協働して、該ロールシートの種類が特定される。
【０００８】
また、請求項２に係るロールシートホルダは、請求項１に記載のロールシートホルダにおいて、前記ロールシート特定部は、前記センサ手段が嵌入される貫通孔を有していることを特徴とする。
【０００９】
また、請求項３に係るロールシートホルダは、請求項２に記載のロールシートホルダにおいて、前記第２延出部は、前記ロールシートの軸心の鉛直方向下方に配置されることを特徴とする。
【００１０】
また、請求項４に係るテープ印刷装置は、筒状の巻芯に巻回されるロールシートを搬送するための搬送手段と、該ロールシートに印刷する印刷手段と、前記ロールシートが巻回されるロールシートホルダを内部で着脱可能な状態で支持する支持機構と、を備えたテープ印刷装置において、前記ロールシートホルダは、請求項１乃至請求項３のいずれかに記載のロールシートホルダであり、前記支持機構は、底面部の一側側端縁部に立設されて前記第１位置決め溝部が形成される位置決め支持部材を有し、前記センサ手段は、前記位置決め支持部材のロールシートホルダ側基端部に設けられていることを特徴とする。
【００１１】
このような特徴を有する請求項４に係るテープ印刷装置は、請求項１乃至請求項３のいずれかに記載のロールシートホルダを内部で着脱可能な状態で支持する支持機構が設けられている。また、このロールシートホルダのロールシートを搬送するための搬送手段と、該ロールシートに印刷する印刷手段とが設けられている。また、この支持機構は、底面部の一側側端縁部に立設されて第１位置決め溝部が形成される位置決め支持部材から構成されている。また、この位置決め支持部材のロールシートホルダ側基端部に、ロールシートホルダの第２延出部に形成されたロールシート特定部と協働してロールシートの種類を特定するセンサ手段が設けられている。
【００１２】
更に、請求項５に係るテープ印刷装置は、請求項４に記載のテープ印刷装置において、前記第２延出部に対向する底面部に形成されて該第２延出部が上方から嵌め込まれる凹部を有することを特徴とする。
【発明の効果】
【００１３】
請求項１に係るロールシートホルダでは、基準側保持部材の外側端面部に突設される位置決めリブ部をテープ印刷装置の上方に開口する第１位置決め溝部に位置合わせして嵌入することによって、該基準保持部材の下端縁部からロールシートの最大外径時の下端部外周面に対向するように所定長さ延出される第２延出部に形成されたロールシート特定部を介して該ロールシートの種類が特定されるため、該ロールシート特定部が形成される第２延出部をロールシートの軸心の真下に配置することができ、このロールシートの自重によってセンサ手段側方向に位置決めすることが可能となり、第２延出部の浮き上がり等を防止することができる。
また、基準保持部材の下端縁部からロールシートの最大外径時の下端部外周面に対向するように所定長さ延出されて第２延出部が設けられているため、該ロールシートの弾性復元力によってロールシートの巻回が少し緩んだ場合には、最外周面の下端部が第２延出部に当接して押さえられ、該ロールシートのばらけを確実に防止することができる。
【００１４】
また、請求項２に係るロールシートホルダでは、ロールシートの引き出し時に、ロールシート特定部が形成される第２延出部は、貫通孔に嵌入されたセンサ手段を介して固定されるため、該ロールシート特定部がセンサ手段から離れることを確実に防止することができ、印字品質の向上を図ることができる。
【００１５】
また、請求項３に係るロールシートホルダでは、第２延出部が、ロールシートの軸心の鉛直方向下方に配置されていることから、ロールシートの自重が第２延出部にかかり、その自重により、第２延出部に形成されているロールシート特定部をセンサ手段側方向に位置決めすることが可能となり、該第２延出部のセンサ手段からの浮き上がりを防止することができ、ロールシート判定部がセンサ手段から離れることを更に確実に防止することができる。
【００１６】
また、請求項４に係るテープ印刷装置では、位置決め支持部材のロールシートホルダ側基端部に、ロールシートホルダの第２延出部に形成されたロールシート特定部と協働してロールシートの種類を特定するセンサ手段が設けられているため、この位置決め支持部材に形成される第１位置決め溝部に嵌入される位置決めリブ部を介して第２延出部のロールシート特定部が確実に位置決めされ、センサ手段の検出精度の向上を図ることができる。
【００１７】
更に、請求項５に係るテープ印刷装置では、第２延出部に対向する底面部に、該第２延出部が上方から嵌め込まれる凹部が形成されているため、該凹部内に第２延出部が嵌め込まれてロールシート特定部が固定されるため、センサ手段を確実に動作させることが可能となり、センサ手段の信頼性の向上を図ることができる。
【発明を実施するための最良の形態】
【００１８】
以下、本発明に係るロールシートホルダ及びテープ印刷装置について、具体化した第１実施形態乃至第３実施形態に基づいて図面を参照しつつ詳細に説明する。
【実施例１】
【００１９】
先ず、第１実施形態に係るテープ印刷装置の概略構成について図１乃至図７に基づき説明する。
図１乃至図３に示すように、テープ印刷装置１は、本体筐体２と、所定幅のロールシート３Ａが巻回されたロールシートホルダ３を収納するロールシートホルダ収納部４の上側を覆うように後側上端縁部に開閉自在（図１４参照）に取り付けられた透明樹脂製の上カバー５と、この上カバー５の前側略中央部に対向するように立設される透明樹脂製のトレー６と、このトレー６の前側に配置される電源ボタン７と、前側側面部に左右移動可能に設けられてカッターユニット８（図７参照）を左右に移動させるカッターレバー９等から構成されている。また、本体筐体２の背面部には一方の側端部に電源コード１０が接続されると共に、他方の側端部には不図示のパーソナルコンピュータ等と接続されるＵＳＢ（Universal Serial Bus）等から構成されるコネクタ部１１（図６参照）が設けられている。また、このロールシート３Ａは、自己発色性を有する長尺状の感熱シート（いわゆる、サーマルペーパー）や、該感熱シートの片面に粘着剤を介して離形紙が張り合わされた長尺状のラベルシート等で構成され、巻芯３Ｂ（図４参照）に巻回されている。
【００２０】
また、図２乃至図６に示すように、テープ印刷装置１は、ロールシートホルダ収納部４の搬送方向に対して略垂直方向の一方の側端縁部（図６中、左側側端縁部）に、後述のロールシートホルダ３を構成する位置決め保持部材１２の外側方向に突設される断面略矩形状の取付部材１３を嵌め込むことができるホルダ支持部材１５が設けられている。このホルダ支持部材１５には、上方に開口する正面視略縦長コの字状の第１位置決め溝部１６が形成されている。また、このホルダ支持部材１５の内側基端部には、位置決め保持部材１２の下端部に突設される弾性係止片１２Ａが係合される係合凹部１５Ａが形成されている。
【００２１】
また、ロールシート３Ａを挿入する挿入口１８の後端縁部からロールシートホルダ収納部４の前側上端縁部まで略水平に延出されて、後述のロールシートホルダ３を構成するガイド部材２０の先端部が載置される載置部２１が設けられている。また、この載置部２１の搬送方向後側の端縁角部には、ロールシート３Ａの複数の幅寸法に対応して断面略Ｌ字状の４個の第２位置決め溝部２２Ａ〜２２Ｄが形成されている。この各第２位置決め溝部２２Ａ〜２２Ｄは、図７に示すように、ロールシートホルダ３を構成するガイド部材２０の載置部２１に当接する部分の一部を上方から嵌め込むことができるように形成されている。また、このロールシートホルダ３を構成するガイド部材２０の先端部は、挿入口１８まで延出されている。
【００２２】
また、ロールシートホルダ収納部４の底面部には、ホルダ支持部材１５の内側基端部から第２位置決め溝部２２Ａに対向する位置まで搬送方向に対して略垂直に平面視横長四角形の位置決め凹部４Ａが所定深さ（第１実施形態では、約１．５〜３ｍｍの深さである。）で形成されている。この位置決め凹部４Ａの搬送方向幅寸法は、ロールシートホルダ３を構成する位置決め保持部材１２及びガイド部材２０の各下端縁部の幅寸法にほぼ等しくなるように形成されている。また、位置決め凹部４Ａのホルダ支持部材１５の内側基端部には、位置決め保持部材１２の下端縁部から略直角内側方向に延出される後述のシート判別部６０（図８〜図１０参照）に対向する部分が、位置決め凹部４Ａよりもさらに所定深さ（第１実施形態では、約１．５〜３ｍｍの深さである。）だけ深くなるように形成された搬送方向に縦長の平面視長四角形の判別凹部４Ｂが形成されている。
【００２３】
また、この判別凹部４Ｂには、プッシュ式のマイクロスイッチ等から構成されて、ロールシート３Ａの種別を判別するための５個のシート判別センサＳ１、Ｓ２、Ｓ３、Ｓ４、Ｓ５がＬ字状に設けられている。この各シート判別センサＳ１〜Ｓ５は、プランジャーとマイクロスイッチ等から構成される公知の機械式スイッチからなり、該各プランジャーの上端部は、該判別凹部４Ｂの底面部から位置決め凹部４Ａの底面部近傍まで突き出るように設けられている。そして、この各シート判別センサＳ１〜Ｓ５に対してシート判別部６０の後述の各センサ孔６０Ａ〜６０Ｅ（図８参照）が有るか否かを検出して、そのオン・オフ信号によりロールシートホルダ３に装着されたロールシート３Ａの種類を検出するものである。尚、第１実施形態の場合は、各テープ判別センサＳ１〜Ｓ５は、そのプランジャーが常には、判別凹部４Ｂの底面から位置決め凹部４Ａの底面部近傍まで突き出しており、マイクロスイッチがオフ状態になっている。そして、シート判別部６０の各センサ孔６０Ａ〜６０Ｅが、各シート判別センサＳ１〜Ｓ５に対向する位置に有る場合には、プランジャーが押下されずマイクロスイッチがオフ状態にあるので、オフ信号が出力され、一方、シート判別部６０の各センサ孔６０Ａ〜６０Ｅが、各シート判別センサＳ１〜Ｓ５に対向する位置に無い場合には、プランジャーが押下されてマイクロスイッチがオン状態になるので、オン信号が出力される。
【００２４】
また、挿入口１８のホルダー支持部材１５側の側端縁部（図６中、左端縁部）は、該ホルダー支持部材１５に嵌め込まれる位置決め部材１２の内側端面に対向する位置に形成されている。また、この挿入口１８のホルダー支持部材１５側の側端縁部には、案内リブ部２３が立設されている。
【００２５】
また、ロールシートホルダ収納部４の他方の側端縁部（図５中、左方の側端縁部）の搬送方向前端部には、サーマルヘッド３１（図７参照）の上下動操作等を行うレバー２７が設けられている。即ち、このレバー２７を上方に回動させることにより、サーマルヘッド３１が下方に移動されてプラテンローラ２６（図７参照）から離間し、該レバー２７を下方に回動させることにより、サーマルヘッド３１が上方に移動されてロールシート３Ａをプラテンローラ２６に押圧付勢して印字可能な状態になる。また、ロールシートホルダ収納部４の下側には、外部のパーソナルコンピュータ等からの指令により各機構部を駆動制御する制御回路部が形成された制御基板３２が設けられている。
【００２６】
これにより、巻芯３Ｂに巻回されたロールシート３Ａが装着されたロールシートホルダ３は、位置決め部材１２の取付部材１３をホルダ支持部材１５の第１位置決め溝部１６に嵌め込み、該位置決め部材１２の下端部に突設される弾性係止片１２Ａをホルダ支持部材１５の内側基端部に形成される係合凹部１５Ａに係合させると共に、ガイド部材２０の先端部下面を各第２位置決め溝部２２Ａ〜２２Ｄに嵌め込んで該ガイド部材２０の下端部を位置決め凹部４Ａ内に嵌入して当接させることによって、ロールシートホルダ収納部４に着脱自在に取り付けられる。また、位置決め部材１２の内側下端縁部に設けられたシート判別部６０が判別凹部４Ｂ内に挿入され、判別凹部４Ｂに配設される各シート判別センサＳ１〜Ｓ５に対向する該シート判別部６０の各センサ孔６０Ａ〜６０Ｅが有るか否か検出可能となる。即ち、ロールシートホルダ３に装着されたロールシート３Ａの種類を検出可能となる。
そして、レバー２７を上方に回動させて、ロールシート３Ａの一方の側端縁部をガイド部材２０の内側面に当接させつつ、このロールシート３Ａの他方の側端縁部を挿入口１８の側縁部に立設される案内リブ部２３に当接させながら挿入口１８内に挿入して、該レバー２７を下方に回動させることにより、印刷可能となる。
【００２７】
ここで、図７に示すように、レバー２７を下方に回動させることにより、挿入口１８から挿入されたロールシート３Ａは、ライン型のサーマルヘッド３１によってプラテンローラ２６に向かって押圧されるように付勢される。そして、該プラテンローラ２６を不図示のステッピングモータ等により回転駆動しつつ、該サーマルヘッド３１を駆動制御することによって、ロールシート３Ａを搬送しながら印字面に順次画像データを印字できる。また、トレー６上に排出されたロールシート３Ａは、カットレバー９を右側方向に移動操作することによって、カッターユニット８により切断される。
【００２８】
次に、ロールシートホルダ３の概略構成について図８乃至図１３に基づいて説明する。
図８乃至図１３に示すように、巻芯３Ｂに巻回されたロールシート３Ａが装着されるロールシートホルダ３は、ロールシート３Ａの巻芯３Ｂの筒孔の一端側端縁部に第１筒部３５が嵌挿されてロールシート３Ａの一方の端面に当接されるガイド部材２０と、該巻芯３Ｂの他端側に第２筒部３７が嵌挿されてロールシート３Ａの他方の端面に当接される位置決め保持部材１２と、このガイド部材２０の第１筒部３５に嵌挿されて一端側端面の外周部に形成されるフランジ部３６が該第１筒部３５の外側端面に固着されると共に、他端側端部が位置決め保持部材１２の第２筒部３７に嵌挿されて該第２筒部３７に固着される略筒状のホルダ軸部材４０と、から構成されている。従って、ホルダ軸部材４０の長さ寸法を変更することにより、異なる幅寸法のロールシート３Ａが装着された複数種類のロールシートホルダ３を容易に製作することができる。
【００２９】
また、このガイド部材２０は、第１筒部３５の外側端面の下側外周部から下側方向に延出されて、ロールシートホルダ収納部４の底面部に形成される位置決め凹部４Ａに嵌入されて該位置決め凹部４Ａの底面に当接される第１延出部４２が形成されている。また、ガイド部材２０は、ロールシート３Ａの前側方向略１／４円周上の外側端面部を覆うように外側方向に延出される第２延出部４３が形成されている。また、この第２延出部４３の外周部からロールシート３Ａの挿入口１８（図６参照）近傍まで上側端縁部が前下がり状に延出される第３延出部４４が形成されている。この第３延出部４４の先端部の下端面は略水平に形成され、テープ印刷装置１の載置部２１上に当接して、該第３延出部４４と第２延出部４３の内側面によって装着されたロールシート３Ａの一側端縁部を挿入口１８まで案内するように構成されている。また、この第３延出部４４の下端面の載置部２１の搬送方向後端縁部に対向する位置から第１延出部４２まで所定長さ延出される第４延出部４５が形成され、該第３延出部４４の下端面が載置部２１上に当接された場合には、この第４延出部４５の搬送方向先端部分が、装着されたロールシート３Ａのシート幅に対向する各第２位置決め溝部２２Ａ〜２２Ｄのいずれかに嵌入されるように構成されている（図７参照）。
また、ガイド部材２０の第１延出部４２の上端部、即ち、第１筒部３５の外側端面の外周部の左右両中央部には、正面視略四角形の各切欠部４７が設けられ、ホルダ軸部材４０のフランジ部３６の内側面に突設される各位置決め突起４８が嵌入されている。また、ガイド部材２０の各延出部４３、４４、４５の内側面には、装着されたロールシート３Ａの巻回長さ１０ｍ、２０ｍ、３０ｍを表す各目盛り４３Ａ、４３Ｂ、４３Ｃが形成されている。尚、ロールシートホルダ３に巻回されるロールシート３Ａの最大巻回長さは、約３０ｍの長さである。
【００３０】
また、ホルダ軸部材４０の位置決め保持部材１２の第２筒部３７内に嵌入される先端部には、該第２筒部３７の内側下端部に内側半径方向に突設される位置決めリブ５０が嵌入される略縦長の切欠部５１が形成されている。これにより、ホルダ軸部材４０の切欠部５１に位置決め保持部材１２の位置決めリブ部５０を嵌入することによって、該ホルダ軸部材４０を介して位置決め保持部材１２とガイド部材２０との位置決めを行うことができる。
また、第１筒部３５と第２筒部３７とによって、ロールシート３Ａが巻回された巻芯３Ｂが回転可能に保持される。尚、ホルダ軸部材４０は、巻芯３Ｂの各長さ寸法に対応して複数種類（第１実施形態では、４種類である。）の長さ寸法のものが設けられている。
【００３１】
また、位置決め部材１２により、第２筒部３７の外側端面は閉塞されている。また、該第２筒部３７の外周部には、フランジ部５５が形成されると共に、このフランジ部５５の下側外周部から下側方向に延出される延出部５６が形成されている。このフランジ部５５と延出部５６の内側面がロールシート３Ａ及び巻芯３Ｂの外側端面に当接される。また、このフランジ部５５と延出部５６の外側端面部の搬送方向（図１０（Ａ）中、左右方向）略中央部に、即ち、ホルダ軸部材４０の軸心の端縁部から該軸心に対してほぼ直交するように、上下方向に縦長の断面略矩形状の取付部材１３が突設されている。この取付部材１３は、正面視下方向に幅狭になるように形成され、テープ印刷装置１のホルダ支持部材１５の下方向に幅狭な第１位置決め溝部１６内に密着可能に形成されている。また、この取付部材１３の突出高さ寸法は、この第１位置決め溝部１６の幅寸法にほぼ等しく形成されている。
【００３２】
また、位置決め部材１２の取付部材１３の下端部には、該取付部材１３の下端部よりも左右方向に各々外側方向に所定長さ（第１実施形態では、約１．５ｍｍ〜３ｍｍである。）突出する正面視略四角形の平板状（第１実施形態では、約１．５ｍｍ〜３ｍｍの厚さ寸法である。）の案内部５７が形成されている。これにより、ロールシートホルダ３を装着する場合は、取付部材１３の下端部に形成される案内部５７をホルダ支持部材１５の外側端面に当接させつつ、取付部材１３を第１位置決め溝部１６に挿入することによって、該ロールシートホルダ３を容易に位置決めしつつ装着することができる。
【００３３】
また、位置決め部材１２の延出部５６の下端縁部は、ガイド部材２０の下端縁部よりも所定長さ（第１実施形態では、約１ｍｍ〜２．５ｍｍである。）下側方向に突出するように延出されると共に、該下端縁部には、略直角内側方向に所定長さ延出される略長四角形のシート判別部６０が形成されている。
【００３４】
また、図８（Ｂ）及び図１３（Ａ）〜（Ｆ）に示すように、このシート判別部６０には、上述したように、各シート判別センサＳ１〜Ｓ５に対向する所定位置に各センサ孔６０Ａ〜６０Ｅが略Ｌ字状に配置されて穿設されている。これにより、各センサ孔６０Ａ〜６０Ｅは、最大５個穿設されるため、１つひとつの有無を「１」と「０」に対応させることにより、該ロールシートホルダ３に装着されたロールシート３Ａの種類を５ビットの符号によって表示することができる。
また、位置決め部材１２の取付部材１３の下端部には延出部５６に縦長四角形の貫通孔６２が穿設され、該貫通孔６２の上端縁部には、下側方向に先端部に外側方向に突出する突起部が形成された弾性係止片１２Ａが設けられている。
【００３５】
次に、上記のように構成されたロールシートホルダ３のテープ印刷装置１への装着について図１４に基づいて説明する。
図１４（Ａ）に示すように、巻芯３Ｂに最大幅のロールシート３Ａが巻回されたロールシートホルダ３の場合には、先ず、ロールシートホルダ３の位置決め保持部材１２の取付部材１３をホルダ支持部材１５の位置決め溝部１６に挿入する。そして、該ロールシートホルダ３のガイド部材２０の第３延出部４４の下端面を載置部２１上に当接させると共に、該ガイド部材２０の第４延出部４５を載置部２１の搬送方向後側角部に形成される第２位置決め溝部２１Ａに嵌入させる。また、該ガイド部材２０の第１延出部４２の下端縁部をロールシートホルダ収納部４の底面部に形成される位置決め凹部４Ａ内に嵌入して当接させる。また、同時に、ロールシートホルダ３の位置決め保持部材１２の延出部５６の下端部に形成されるシート判定部６０を、ホルダ支持部材１５の基端部内側に形成される判別凹部４Ｂに挿入すると共に、弾性係止片１２Ａをホルダ支持部材１５の基端部に形成される係合凹部１５Ａに係合させる。これにより、ロールシートホルダ３がロールシートホルダ収納部４に着脱自在に取り付けられる。また、各シート判別センサＳ１〜Ｓ５を介して対向するシート判別部６０の各センサ孔６０Ａ〜６０Ｅの有無が検出可能となる。
続いて、レバー２７を上方に回動させた状態で、ロールシート３Ａの一方の側端縁部をガイド部材２０の内側面に当接させつつ、該ロールシート３Ａを引きだし、このロールシート３Ａの他方の側端縁部を挿入口１８の側端縁部に立設された案内リブ部２３に当接させつつ挿入口１８に挿入する。その後、レバー２７を下方に回動させることにより、該ロールシート３Ａの先端部がサーマルヘッド３１によってプラテンローラ２６に押圧され、印字可能な状態になる。
【００３６】
また、図１３（Ｂ）に示すように、巻芯３Ｂに最小幅のロールシート３Ａが巻回されたロールシートホルダ３の場合には、先ず、ロールシートホルダ３の位置決め保持部材１２の取付部材１３をホルダ支持部材１５の位置決め溝部１６に挿入する。そして、該ロールシートホルダ３のガイド部材２０の第３延出部４４の下端面を載置部２１上に当接させると共に、該ガイド部材２０の第４延出部４５を載置部２１の搬送方向後側角部に形成される第２位置決め溝部２１Ｄに嵌入させる。そして、該ガイド部材２０の第１延出部４２の下端縁部をロールシートホルダ収納部４の底面部に形成される位置決め凹部４Ａ内に嵌入して当接させる。また、同時に、ロールシートホルダ３の位置決め保持部材１２の延出部５６の下端部に形成されるシート判定部６０を、ホルダ支持部材１５の基端部内側に形成される判別凹部４Ｂに挿入すると共に、弾性係止片１２Ａをホルダ支持部材１５の基端部に形成される係合凹部１５Ａに係合させる。これにより、ロールシートホルダ３がロールシートホルダ収納部４に着脱自在に取り付けられる。また、各シート判別センサＳ１〜Ｓ５を介して対向するシート判別部６０の各センサ孔６０Ａ〜６０Ｅの有無が検出可能となる。
続いて、レバー２７を上方に回動させた状態で、ロールシート３Ａの一方の側端縁部をガイド部材２０の内側面に当接させつつ、該ロールシート３Ａを引きだし、このロールシート３Ａの他方の側端縁部を挿入口１８の側端縁部に立設された案内リブ部２３に当接させつつ挿入口１８に挿入する。その後、レバー２７を下方に回動させることにより、該ロールシート３Ａの先端部がサーマルヘッド３１によってプラテンローラ２６に押圧され、印字可能な状態になる。
【００３７】
ここで、プラテンローラ２６は、搬送手段として機能する。また、プラテンローラ２６及びサーマルヘッド３１は、印刷手段を構成する。また、第１延出部４２、第２延出部４３、第３延出部４４、及び第４延出部４５は、第１フランジ部を構成する。また、ガイド部材２０は、第１筒部材として機能する。また、第２筒部３７は、第２筒部材として機能する。また、位置決め保持部材１２は、基準側保持部材として機能する。また、フランジ部３６は、第２フランジ部として機能する。また、ホルダ軸部材４０は、第３筒部材として機能する。また、取付部材１３は、位置決めリブ部として機能する。また、シート判別部６０は、第２延出部として機能する。各センサ孔６０Ａ〜６０Ｅは、ロールシート特定部を構成する。また、ホルダ支持部材１５及び係合凹部１５Ａは、支持機構を構成する。また、ホルダ支持部材１５は、位置決め支持部材として機能する。また、判別凹部４Ｂは、凹部として機能する。
【００３８】
以上詳細に説明した通り、第１実施形態に係るテープ印刷装置１では、ホルダ支持部材１５のロールシートホルダ３側基端部に、ロールシートホルダ３のシート判別部６０に形成された各センサ孔６０Ａ〜６０Ｅと協働してロールシート３Ａの種類を特定する各シート判別センサＳ１〜Ｓ５が設けられているため、このホルダ支持部材１５に形成される第１位置決め溝部１６に嵌入される取付部材１３を介してシート判別部６０の各センサ孔６０Ａ〜６０Ｅが確実に位置決めされ、各シート判別センサＳ１〜Ｓ５の検出精度の向上を図ることができる。
また、シート判別部６０に対向する底面部に、該シート判別部６０が上方から嵌め込まれる判別凹部４Ｂが形成されているため、該判別凹部４Ｂ内にシート判別部６０が嵌め込まれて各センサ孔６０Ａ〜６０Ｅが固定されるため、各シート判別センサＳ１〜Ｓ５を確実に動作させることが可能となり、各シート判別センサＳ１〜Ｓ５の信頼性の向上を図ることができる。
【００３９】
また、ロールシートホルダ３の位置決め保持部材１２の外側端面部に突設される取付部材１３をテープ印刷装置１の上方に開口する第１位置決め溝部１６に位置合わせして嵌入することによって、該位置決め保持部材１２の下端縁部からロールシート３Ａの最大外径時の下端部外周面に対向するように所定長さ延出されるシート判別部６０に形成された各センサ孔６０Ａ〜６０Ｅを介して該ロールシート３Ａの種類が特定されるため、該各センサ孔６０Ａ〜６０Ｅが形成されるシート判別部６０をロールシート３Ａの軸心の真下に配置することができ、このロールシート３Ａの自重によってシート判別部６０を各シート判別センサＳ１〜Ｓ５側方向に位置決めすることが可能となり、該シート判別部６０の浮き上がり等を防止することができる。
【００４０】
また、位置決め保持部材１２の下端縁部からロールシート３Ａの最大外径時の下端部外周面に対向するように所定長さ延出されてシート判別部６０が設けられているため、該ロールシート３Ａの弾性復元力によってロールシート３Ａの巻回が少し緩んだ場合には、最外周面の下端部がシート判別部６０に当接して押さえられ、該ロールシート３Ａのばらけを確実に防止することができる。
更に、ロールシート３Ａの引き出し時に、各センサ孔６０Ａ〜６０Ｅが形成されるシート判別部６０は、該各センサ孔６０Ａ〜６０Ｅ内に嵌入された各シート判別センサＳ１〜Ｓ５を介して固定されるため、該各センサ孔６０Ａ〜６０Ｅが各シート判別センサＳ１〜Ｓ５から離れることを確実に防止することができ、印字品質の向上を図ることができる。
【実施例２】
【００４１】
次に、第２実施形態に係るロールシートホルダ及びテープ印刷装置について図１５及び図１６に基づいて説明する。尚、以下の説明において上記図１乃至図１４の第１実施形態に係るロールシートホルダ３及びテープ印刷装置１の構成等と同一符号は、該第１実施形態に係るロールシートホルダ３及びテープ印刷装置１等の構成等と同一あるいは相当部分を示すものである。
第２実施形態に係るロールシートホルダ及びテープ印刷装置の概略構成は、第１実施形態に係るロールシートホルダ３及びテープ印刷装置１とほぼ同じ構成である。また、テープ印刷装置の各種制御処理も第１実施形態に係るテープ印刷装置１とほぼ同じ制御処理である。
但し、第２実施形態に係るロールシートホルダを構成する位置決め保持部材とテープ印刷装置のロールシートホルダ収納部に形成される判別凹部の構成が、第１実施形態に係るロールシートホルダ３を構成する位置決め保持部材１２とテープ印刷装置１のロールシートホルダ収納部４に形成される判別凹部４Ｂの構成と異なっている。
【００４２】
ここで、第２実施形態に係るテープ印刷装置のロールシートホルダ収納部に形成される判別凹部の構成について図１５に基づいて説明する。
図１５に示すように、第２実施形態に係るテープ印刷装置７１のロールシートホルダ収納部４の底面部には、ホルダ支持部材１５の内側基端部から第２位置決め溝部２２Ａに対向する位置まで搬送方向に対して略垂直に平面視横長四角形の位置決め凹部４Ａが所定深さ（第２実施形態では、約１．５〜３ｍｍの深さである。）で形成されている。この位置決め凹部４Ａの搬送方向幅寸法は、ロールシートホルダ３を構成する位置決め保持部材７２（図１６参照）及びガイド部材２０の各下端縁部の幅寸法にほぼ等しくなるように形成されている。また、位置決め凹部４Ａのホルダ支持部材１５の内側基端部には、位置決め保持部材７２の下端縁部から略直角内側方向に延出される後述のシート判別部７３（図１６参照）に対向する部分が所定深さ（第２実施形態では、約１．５〜３ｍｍの深さである。）深くなるように形成された搬送方向に長い平面視略長四角形の判別凹部７５が形成されている。
また、この判別凹部７５は、シート判別センサＳ３とシート判別センサＳ４との間の略中央部に対向する位置から搬送方向前側の部分が、シート判別センサＳ１にほぼ対向する位置まで外側方向（図１５中、右側方向）に切り欠かれて、位置決め凹部４Ａが外側方向に延出されている。
【００４３】
また、この判別凹部７５には、プッシュ式のマイクロスイッチ等から構成されて、ロールシート３Ａの種別を判別するための５個のシート判別センサＳ１、Ｓ２、Ｓ３、Ｓ４、Ｓ５がＬ字状に設けられている。この各シート判別センサＳ１〜Ｓ５は、プランジャーとマイクロスイッチ等から構成される公知の機械式スイッチからなり、該各プランジャーの上端部は、該判別凹部７５の底面部から位置決め凹部４Ａの底面部近傍まで突き出るように設けられている。そして、この各シート判別センサＳ１〜Ｓ５に対してシート判別部７３の後述の各センサ孔７３Ａ〜７３Ｅ（図１６参照）が有るか否かを検出して、そのオン・オフ信号によりロールシートホルダ３に装着されたロールシート３Ａの種類を検出するものである。尚、第２実施形態の場合は、各テープ判別センサＳ１〜Ｓ５は、そのプランジャーが常には、判別凹部７５の底面から位置決め凹部４Ａの底面部近傍まで突き出しており、マイクロスイッチがオフ状態になっている。そして、シート判別部７３の各センサ孔７３Ａ〜７３Ｅが、各シート判別センサＳ１〜Ｓ５に対向する位置に有る場合には、プランジャーが押下されずマイクロスイッチがオフ状態にあるので、オフ信号が出力され、一方、シート判別部７３の各センサ孔７３Ａ〜７３Ｅが、各シート判別センサＳ１〜Ｓ５に対向する位置に無い場合には、プランジャーが押下されてマイクロスイッチがオン状態になるので、オン信号が出力される。
【００４４】
また、図１６に示すように、第２実施形態に係るロールシートホルダ３を構成する位置決め保持部材７２は、第１実施形態に係る上記位置決め保持部材１２とほぼ同じ構成であるが、延出部５６の下端縁部には、上記シート判別部６０に替えてシート判別部７３が形成されている。この位置決め保持部材７２のシート判別部７３は、延出部５６の下端縁部から略直角内側方向に所定長さ延出されると共に、搬送方向後側端縁部が所定長さ内側に突き出している平面視略Ｌ字形に形成されている。
また、このシート判別部７３は、シート判別部７３の搬送方向後側端縁部に、各センサ孔７３Ａ、７３Ｂが内側方向一直線上に穿設されると共に、各センサ孔７３Ｂ〜７３Ｅが搬送方向一直線上に穿設されて、各シート判別センサＳ１〜Ｓ５に対向する所定位置に各センサ孔７３Ａ〜７３Ｅが略Ｌ字状に配置されて穿設されている。これにより、各センサ孔７３Ａ〜７３Ｅは、最大５個穿設されるため、１つひとつの有無を「１」と「０」に対応させることにより、該ロールシートホルダ３に装着されたロールシート３Ａの種類を５ビットの符号によって表示することができる。
【００４５】
ここで、シート判別部７３は、第２延出部として機能する。各センサ孔７３Ａ〜７３Ｅは、ロールシート特定部を構成する。また、位置決め保持部材７２は、基準側保持部材として機能する。また、判別凹部７５は、凹部として機能する。
【００４６】
以上詳細に説明した通り、第２実施形態に係るテープ印刷装置７１では、上記第１実施形態に係るテープ印刷装置１の作用効果に加えて、更に、位置決め保持部材７２のシート判別部７３の小型化を図ることができ、ロールシートホルダ３の材料の削減化及び製造コストの低減化を図ることができる。
【実施例３】
【００４７】
次に、第３実施形態に係るロールシートホルダ及びテープ印刷装置について図１７及び図１８に基づいて説明する。尚、以下の説明において上記図１乃至図１４の第１実施形態に係るロールシートホルダ３及びテープ印刷装置１の構成等と同一符号は、該第１実施形態に係るロールシートホルダ３及びテープ印刷装置１等の構成等と同一あるいは相当部分を示すものである。
第３実施形態に係るロールシートホルダ及びテープ印刷装置の概略構成は、第１実施形態に係るロールシートホルダ３及びテープ印刷装置１とほぼ同じ構成である。また、テープ印刷装置の各種制御処理も第１実施形態に係るテープ印刷装置１とほぼ同じ制御処理である。
但し、第３実施形態に係るロールシートホルダを構成する位置決め保持部材とテープ印刷装置のロールシートホルダ収納部に形成される判別凹部の構成が、第１実施形態に係るロールシートホルダ３を構成する位置決め保持部材１２とテープ印刷装置１のロールシートホルダ収納部４に形成される判別凹部４Ｂの構成と異なっている。
【００４８】
ここで、第３実施形態に係るテープ印刷装置のロールシートホルダ収納部に形成される判別凹部の構成について図１７に基づいて説明する。
図１７に示すように、第３実施形態に係るテープ印刷装置８１のロールシートホルダ収納部４の底面部には、ホルダ支持部材１５の内側基端部から第２位置決め溝部２２Ａに対向する位置まで搬送方向に対して略垂直に平面視横長四角形の位置決め凹部４Ａが所定深さ（第３実施形態では、約１．５〜３ｍｍの深さである。）で形成されている。この位置決め凹部４Ａの搬送方向幅寸法は、ロールシートホルダ３を構成する位置決め保持部材８２（図１８参照）及びガイド部材２０の各下端縁部の幅寸法にほぼ等しくなるように形成されている。また、位置決め凹部４Ａのホルダ支持部材１５の内側基端部には、位置決め保持部材８２の下端縁部から略直角内側方向に延出される後述のシート判別部８３（図１８参照）に対向する部分が所定深さ（第３実施形態では、約１．５〜３ｍｍの深さである。）深くなるように形成された搬送方向に長い平面視略長四角形の判別凹部８５が形成されている。
また、この判別凹部８５は、シート判別センサＳ３からシート判別センサＳ４までの間に対向する内側側端縁部の略中央部分が、シート判別センサＳ１にほぼ対向する位置まで外側方向（図１７中、右側方向）に切り欠かれて、位置決め凹部４Ａが外側方向に突き出すように延出された位置決め凸部８６が形成されている。
【００４９】
また、この判別凹部８５には、プッシュ式のマイクロスイッチ等から構成されて、ロールシート３Ａの種別を判別するための５個のシート判別センサＳ１、Ｓ２、Ｓ３、Ｓ４、Ｓ５がＬ字状に設けられている。この各シート判別センサＳ１〜Ｓ５は、プランジャーとマイクロスイッチ等から構成される公知の機械式スイッチからなり、該各プランジャーの上端部は、該判別凹部８５の底面部から位置決め凹部４Ａの底面部近傍まで突き出るように設けられている。そして、この各シート判別センサＳ１〜Ｓ５に対してシート判別部８３の後述の各センサ孔８３Ａ〜８３Ｅ（図１８参照）が有るか否かを検出して、そのオン・オフ信号によりロールシートホルダ３に装着されたロールシート３Ａの種類を検出するものである。尚、第３実施形態の場合は、各テープ判別センサＳ１〜Ｓ５は、そのプランジャーが常には、判別凹部８５の底面から位置決め凹部４Ａの底面部近傍まで突き出しており、マイクロスイッチがオフ状態になっている。そして、シート判別部８３の各センサ孔８３Ａ〜８３Ｅが、各シート判別センサＳ１〜Ｓ５に対向する位置に有る場合には、プランジャーが押下されずマイクロスイッチがオフ状態にあるので、オフ信号が出力され、一方、シート判別部８３の各センサ孔８３Ａ〜８３Ｅが、各シート判別センサＳ１〜Ｓ５に対向する位置に無い場合には、プランジャーが押下されてマイクロスイッチがオン状態になるので、オン信号が出力される。
【００５０】
また、図１８に示すように、第３実施形態に係るロールシートホルダ３を構成する位置決め保持部材８２は、第１実施形態に係る上記位置決め保持部材１２とほぼ同じ構成であるが、延出部５６の下端縁部には、上記シート判別部６０に替えてシート判別部８３が形成されている。この位置決め保持部材８２のシート判別部８３は、延出部５６の下端縁部から略直角内側方向に所定長さ延出されると共に、センサ孔８３Ｃからセンサ孔８３Ｄまでの間に対向する延出方向外側端縁部の略中央部分が、センサ孔８３Ａにほぼ対向する位置まで内側方向（図１８中、右側方向）に切り欠かれて位置決め凹部８７が形成されている。
また、このシート判別部８３は、シート判別部８３の搬送方向後側端縁部に、各センサ孔８３Ａ、８３Ｂが内側方向一直線上に穿設されると共に、各センサ孔８３Ｂ〜８３Ｅが搬送方向一直線上に穿設され、各シート判別センサＳ１〜Ｓ５に対向する所定位置に各センサ孔８３Ａ〜８３Ｅが略Ｌ字状に配置されて穿設されている。これにより、各センサ孔８３Ａ〜８３Ｅは、最大５個穿設されるため、１つひとつの有無を「１」と「０」に対応させることにより、該ロールシートホルダ３に装着されたロールシート３Ａの種類を５ビットの符号によって表示することができる。
【００５１】
ここで、シート判別部８３は、第２延出部として機能する。各センサ孔８３Ａ〜８３Ｅは、ロールシート特定部を構成する。また、位置決め保持部材８２は、基準側保持部材として機能する。また、判別凹部８５は、凹部として機能する。
【００５２】
以上詳細に説明した通り、第３実施形態に係るテープ印刷装置８１では、上記第１実施形態に係るテープ印刷装置１の作用効果に加えて、更に、位置決め保持部材８２のシート判別部８３に形成される位置決め凹部８７を位置決め凹部４Ａのホルダ支持部材１５側方向に延出される位置決め凸部８６に嵌め込むことにより、ロールシートホルダ３の装着時における該位置決め保持部材８２の下端部のガタツキを確実に防止でき、印字品質の向上を図ることができる。
【００５３】
尚、本発明は前記第１実施形態乃至第３実施形態に限定されることはなく、本発明の要旨を逸脱しない範囲内で種々の改良、変形が可能であることは勿論である。
【実施例４】
【００５４】
例えば、前記第１実施形態乃至第３実施形態に係る各ロールシートホルダ３を構成する各位置決め保持部材１２、７２、８２は、各延出部５６の下端縁部に、内側方向に延出されて形成される各シート判別部６０、７３、８３を設け、該各シート判別部６０、７３、８３には、各シート判別センサＳ１〜Ｓ５のプランジャが挿通される各センサ孔６０Ａ〜６０Ｅ、７３Ａ〜７３Ｅ、８３Ａ〜８３Ｅを穿設したが、該各シート判別部６０、７３、８３の下面に突起部を設け、各シート判別センサＳ１〜Ｓ５を押下する構成にしてもよい。
ここで、各シート判別センサＳ１〜Ｓ５を押下する構成の一例について図９に基づいて説明する。尚、以下の説明において上記図１乃至図１４の第１実施形態に係るロールシートホルダ３及びテープ印刷装置１の構成等と同一符号は、該第１実施形態に係るロールシートホルダ３及びテープ印刷装置１等の構成等と同一あるいは相当部分を示すものである。
図９に示すように、位置決め保持部材９１の延出部５６の下端縁部から少し上側の位置決め凹部４Ａの底面部に対向する部分から、略直角内側方向に所定長さ延出された略長四角形で、上記シート判別部６０とほぼ同じ形状のシート判別部９２が形成されている。また、このシート判別部９２の下面部には、各シート判別センサＳ１〜Ｓ５に対向する位置に各押下ボス９２Ａ〜９２Ｅが立設される（図９には、押下ボス９２Ｅのみが立設されている。）。また、この各押下ボス９２Ａ〜９２Ｅの下端面は、延出部５６の下端面とほぼ同じ高さになるように構成されている。
これにより、シート判別部９２の下面部に、各押下ボス９２Ａ〜９２Ｅが全部立設された場合は、各シート判別部６０、７３、８３に、各センサ孔６０Ａ〜８３Ｅが穿設されていない状態に対応する。また、図９に示すように、シート判別部９２の下面部に、押下ボス９２Ｅのみが立設された場合は、各シート判別部６０、７３、８３に、それぞれ４個の各センサ孔６０Ａ〜６０Ｄ、７３Ａ〜７３Ｄ、８３Ａ〜８３Ｄが穿設された状態に対応する。また、シート判別部９２の下面部に、各押下ボス９２Ａ〜９２Ｅが立設されていない場合は、各シート判別部６０、７３、８３に、それぞれ５個の各センサ孔６０Ａ〜６０Ｅ、７３Ａ〜７３Ｅ、８３Ａ〜８３Ｅが穿設された状態に対応する。
【図面の簡単な説明】
【００５５】
【図１】第１実施形態に係るテープ印刷装置の概略斜視図である。
【図２】第１実施形態に係るテープ印刷装置に最大ロールシート幅のロールシートホルダが装着された状態を上カバーを取り外して示す斜視図である。
【図３】第１実施形態に係るテープ印刷装置に最大ロールシート幅のロールシートホルダが装着された状態を上カバーを取り外して示す側面図である。
【図４】図３のＸ−Ｘ矢視断面図。
【図５】第１実施形態に係るテープ印刷装置の上カバーを取り外した状態を示す図で、（Ａ）は概略斜視図、（Ｂ）は（Ａ）の一点鎖線で囲まれたＷ部分の拡大斜視図である。
【図６】第１実施形態に係るテープ印刷装置の上カバーを取り外した状態の概略後方斜視図である。
【図７】第１実施形態に係るテープ印刷装置にロールシートホルダが装着された状態を上カバーを取り外して示す側断面図である。
【図８】第１実施形態に係るテープ印刷装置のロールシートが装着されたロールシートホルダを示す図で、（Ａ）は前側上方からの斜視図、（Ｂ）は下側後方からの斜視図である。
【図９】第１実施形態に係るテープ印刷装置のロールシートホルダを示す斜視図で、（Ａ）は斜め後方側からの斜視図、（Ｂ）は斜め前方側からの斜視図である。
【図１０】第１実施形態に係るテープ印刷装置のロールシートホルダを示す図で、（Ａ）は左側面図、（Ｂ）は正面図、（Ｃ）は右側面図である。
【図１１】図１０（Ａ）のＹ−Ｙ矢視断面図である。
【図１２】図１０（Ａ）のＺ−Ｚ矢視断面図である。
【図１３】第１実施形態に係るテープ印刷装置のロールシートホルダを構成する位置決め保持部材のシート判別部にロールシートの種類を表すセンサ孔の穿設例を示す図である。
【図１４】第１実施形態に係るテープ印刷装置にロールシートホルダを装着した状態を示す図で、（Ａ）は最大幅のロールシートを装着した状態を示す斜視図、（Ｂ）は最小幅のロールシートを装着した状態を示す斜視図である。
【図１５】第２実施形態に係るテープ印刷装置のロールシートホルダ収納部の判別凹部を示す拡大斜視図である。
【図１６】第２実施形態に係るテープ印刷装置のロールシートホルダを構成する位置決め保持部材の一例を示す図である。
【図１７】第３実施形態に係るテープ印刷装置のロールシートホルダ収納部の判別凹部を示す拡大斜視図である。
【図１８】第３実施形態に係るテープ印刷装置のロールシートホルダを構成する位置決め保持部材の一例を示す図である。
【図１９】他の実施形態に係るテープ印刷装置のロールシートホルダを構成する位置決め保持部材の一例を示す図で、（Ａ）は取り付け時の内側上方斜視図、（Ｂ）は上下逆の状態の外側上方斜視図である。
【符号の説明】
【００５６】
１、７１、８１  テープ印刷装置、  ２  本体筐体、  ３  ロールシートホルダ
３Ａ  ロールシート、  ４  ロールシートホルダ収納部、  ４Ａ  位置決め凹部
４Ｂ、７５、８５  判別凹部、  ５  上カバー
１２、７２、８２、９１  位置決め保持部材、  １２Ａ  弾性係止片
１３  取付部材、  １５  ホルダ支持部材、  １５Ａ  係合凹部
１６  第１位置決め溝部、  １８  挿入口、  ２０  ガイド部材
２１  載置部、  ２２Ａ〜２２Ｄ  第２位置決め溝部、  ２３  案内リブ部
２６  プラテンローラ、  ３１  サーマルヘッド、  ４０  ホルダ軸部材
４２  第１延出部、  ４３  第２延出部、  ４３Ａ〜４３Ｃ  目盛り
４４  第３延出部、  ４５  第４延出部、  ６０、７３、８３、９２  シート判別部
６０Ａ〜６０Ｅ、７３Ａ〜７３Ｅ、８３Ａ〜８３Ｅ  センサ孔
９２Ｅ  押下ボス、  Ｓ１〜Ｓ５  シート判別センサ
【図１】
2005193468.tif 000003
【図２】
2005193468.tif 000004
【図３】
2005193468.tif 000005
【図４】
2005193468.tif 000006
【図５】
2005193468.tif 000007
【図６】
2005193468.tif 000008
【図７】
2005193468.tif 000009
【図８】
2005193468.tif 000010
【図９】
2005193468.tif 000011
【図１０】
2005193468.tif 000012
【図１１】
2005193468.tif 000013
【図１２】
2005193468.tif 000014
【図１３】
2005193468.tif 000015
【図１４】
2005193468.tif 000016
【図１５】
2005193468.tif 000017
【図１６】
2005193468.tif 000018
【図１７】
2005193468.tif 000019
【図１８】
2005193468.tif 000020
【図１９】
2005193468.tif 000021